(57)【要約】【課題】  印字速度と共に印字品質も向上可能なライン型サーマルプリンタの分割駆動方法を提案すること。【解決手段】  ライン型サーマルプリンタ１では、ラインサーマルヘッド２を複数の印字ブロックに分け、１ドットラインの印字ドット総数に基づき必要数の印字ブロックを順次に分割駆動し、ステッピングモータ４により搬送される記録媒体に１ドットライン分の印字を行い、１ドットラインを印字するために要する印字ブロックの分割数が増加する場合（印字期間Ｔ２からＴ３への移行時）に、ステッピングモータの駆動速度を低速に切り換えるための本来の通電切り換え時点ｔａを所定時間Ｔａだけ遅延させた時点ｔ３にする。遅延時間Ｔａを挟むと、ステッピングモータ４の駆動切り換えに対する記録媒体の搬送速度の応答遅れを抑制でき、記録媒体の搬送むらが抑制され印字ドットピッチの乱れが抑制されるので、印字品質の低下を防止できる。【選択図】  図２
2005186509.tif 000002
【特許請求の範囲】
【請求項１】
１ドットライン分の印字ドットの総数に基づき、ラインサーマルヘッドを一つあるいは複数の印字ブロックに分割し、
前記ラインサーマルヘッドの分割数に基づき、記録媒体を１ドットライン分搬送するためのステッピングモータのモータ通電切り換え周期を決定し、
前記印字ブロックを順次に分割駆動して、前記ステッピングモータによって搬送される前記記録紙に前記１ドッドライン分の印字を行い、
１ドットラインを印字するために要する前記ラインサーマルヘッドの分割数の増加に対応して前記ステッピングモータの駆動速度を低速に切り換える際に、当該駆動速度を低速に切り換えるための通電切り換え時点を所定時間だけ遅延させるライン型サーマルプリンタの分割駆動方法。
【請求項２】
請求項１において、
前記通電切り換え時点が遅延することにより長くなった１ドットラインの印字期間では、前記ラインサーマルヘッドに対する通電パルスの印加時点の遅延は行わないライン型サーマルプリンタの分割駆動方法。
【請求項３】
請求項１または２において、
印字中の１ドットラインの印字に要する前記分割数と、次の１ドットラインの印字に要する前記分割数のとの差を求め、
この分割数の差に基づき、前記ステッピングモータの前記通電切り換え時点の遅延時間を定めるライン型サーマルプリンタの分割駆動方法。
【請求項４】
請求項３において、
前記遅延時間は、前記ラインサーマルヘッドを分割駆動するためのヘッド通電パルスのパルス幅に前記分割数の差を乗算した値であるライン型サーマルプリンタの分割駆動方法。
【請求項５】
ラインサーマルヘッドと、
記録媒体を前記ラインサーマルヘッドの印字位置を経由して搬送させるためのステッピングモータと、
前記ラインサーマルヘッドを分割駆動するヘッド通電パルス制御部と、
前記ステッピングモータを駆動制御するモータ通電パルス制御部と、
１ドットライン分の印字ドットの総数に基づき、前記ラインサーマルヘッドを一つあるいは複数の印字ブロックに分割し、前記ラインサーマルヘッドの分割数に基づき、記録媒体を１ドットライン分搬送するためのステッピングモータのモータ通電切り換え周期を決定し、前記印字ブロックを順次に分割駆動して、前記ステッピングモータによって搬送される前記記録紙に前記１ドッドライン分の印字を行うように、前記ヘッド通電パルス制御部および前記モータ通電パルス制御部を駆動制御する駆動制御部とを有し、
前記駆動制御部は、１ドットラインを印字するために要する前記ラインサーマルヘッドの分割数の増加に対応して前記ステッピングモータの駆動速度を低速に切り換える際に、当該駆動速度を低速に切り換えるための通電切り換え時点を所定時間だけ遅延させるように、前記モータ通電パルス制御部を制御するライン型サーマルプリンタ。
【請求項６】
請求項５において、
前記駆動制御部は、前記通電切り換え時点が遅延することにより長くなった１ドットラインの印字期間では、前記ラインサーマルヘッドに対する通電パルスの印加時点を遅延させないように、前記ヘッド通電パルス制御部を制御するライン型サーマルプリンタ。
【請求項７】
請求項５または６において、
前記駆動制御部は、
印字中の１ドットラインの印字に要する前記分割数を記憶している記憶部と、
前記記憶部に記憶されている前記分割数と、次の１ドットラインの印字に要する前記分割数のとの差を求める算出部と、
算出された前記差に基づき、前記ステッピングモータの前記通電切り換え時点の遅延時間を決定する遅延時間算出部とを備えているライン型サーマルプリンタ。
【請求項８】
請求項７において、
前記遅延時間は、前記ラインサーマルヘッドを分割駆動するためのヘッド通電パルスのパルス幅に前記分割数の差を乗算した値であるライン型サーマルプリンタ。
【発明の詳細な説明】
【技術分野】
【０００１】
本発明は、ラインサーマルヘッドを複数の印字ブロックに分け、１ドットラインの印字ドット総数に基づき印字ブロックを順次に駆動して１ドットライン毎に印字を行うライン型サーマルプリンタの分割駆動方法に関するものである。更に詳しくは、分割数の変更に伴う記録媒体の搬送速度の切り換えに起因して発生する搬送方向の印字ドットピッチの乱れを抑制可能なライン型サーマルプリンタの分割駆動方法に関するものである。
【背景技術】
【０００２】
ライン型サーマルプリンタにおいて、ラインサーマルヘッドの各発熱体に同時通電して１ドットライン分の印字を行うと最大消費電力が増加するので、大型の駆動電源を搭載しておく必要がある。ハンディタイプの小型のサーマルプリンタなどには小型のバッテリ電源が搭載されているので、最大消費電力を抑制するために、ラインサーマルヘッドを複数の印字ブロックに分け、印字ブロック毎に同時通電を行うようにしている。この場合、１ドットラインの印字ドット総数に関係無く常に全ての印字ブロックを順次に駆動すると、全体としての印字速度が低下してしまう。
【０００３】
そこで、１ドットラインの印字ドット総数が多い場合には全ての印字ブロックを順次に分割駆動し、印字ドット総数が少ない場合には一つの印字ブロックあるいは少数の印字ブロックのみを駆動し、印字速度を高めるようにしている。この場合、記録紙の１ドットラインの送りピッチは一定であるので、分割数が増加すると、それに応じて記録紙の搬送速度を低下させる必要がある。搬送モータとしては一般にステッピングモータが使用されており、分割数の増減に伴って、モータ通電切り換え周期を増減させることにより、ステッピングモータの駆動速度を調節している。このような分割駆動を行うライン型サーマルプリンタは、例えば、次の特許文献１、２などに開示されている。
【特許文献１】特開２０００−２４６９４３号公報
【特許文献２】特開２００２−１９１７１号公報
【発明の開示】
【発明が解決しようとする課題】
【０００４】
しかしながら、１ドットラインの印字ドット総数に応じて分割数を変更して印字速度を高めるようにした分割駆動方法においては、次のような問題点がある。一般に、記録媒体の搬送機構では、ステッピングモータの回転力が、歯車列などからなる減速機構を含む動力伝達機構を経由してプラテンローラに伝達され、プラテンローラによって記録紙が搬送される。分割数が増加したことに対応してステッピングモータの駆動速度を低速に切り換えた場合、プラテンローラによって搬送されている記録紙の実際の送り速度が低速に切り換わるまでには慣性力、滑り、歯車のバックラッシなどが原因となって応答遅れが生ずる。よって、記録紙の送り速度がリアルタイムで低速に切り換わらない。
【０００５】
一方、ラインサーマルヘッドには、ステッピングモータの通電切り換え周期に同期させて駆動用の通電パルスが印加されるので、印字動作はステッピングモータの駆動に同期して行われる。よって、低速で搬送すべき記録紙が高速のまま搬送されながら、低速で印字が行われ、印字ドット位置が搬送方向にずれてしまう。この結果、印字ドットピッチに乱れが生じ、全体の印字品質が低下してしまう。
【０００６】
本発明の課題は、このような点に鑑みて、ラインサーマルヘッドの分割数の増加に対応させてステッピングモータの駆動速度を低下させた場合においても印字ドットのピッチ乱れを抑制でき、以って、印字速度と共に印字品質も向上させることのできるライン型サーマルプリンタの分割駆動方法を提案することにある。
【課題を解決するための手段】
【０００７】
上記の課題を解決するために、本発明のライン型サーマルプリンタの分割駆動方法は：１ドットライン分の印字ドットの総数に基づき、ラインサーマルヘッドを一つあるいは複数の印字ブロックに分割し；前記ラインサーマルヘッドの分割数に基づき、記録媒体を１ドットライン分搬送するためのステッピングモータのモータ通電切り換え周期を決定し；前記印字ブロックを順次に分割駆動して、前記ステッピングモータによって搬送される前記記録紙に前記１ドッドライン分の印字を行い；１ドットラインを印字するために要する前記ラインサーマルヘッドの分割数の増加に対応して前記ステッピングモータの駆動速度を低速に切り換える際に、当該駆動速度を低速に切り換えるための通電切り換え時点を所定時間だけ遅延させるようにしている。
【０００８】
ここで、前記通電切り換え時点が遅延することにより長くなった１ドットラインの印字期間では、前記ラインサーマルヘッドに対する通電パルスの印加時点の遅延は行わないことが望ましい。
【０００９】
また、印字中の１ドットラインの印字に要する前記分割数と、次の１ドットラインの印字に要する前記分割数のとの差を求め、この分割数の差に基づき、前記ステッピングモータの前記通電切り換え時点の遅延時間を定めればよい。
【００１０】
具体的には、前記遅延時間を、前記ラインサーマルヘッドを分割駆動するためのヘッド通電パルスのパルス幅に前記分割数の差を乗算した値とすることができる。
【００１１】
次に、本発明のライン型サーマルプリンタは：ラインサーマルヘッドと；記録媒体を前記ラインサーマルヘッドの印字位置を経由して搬送させるためのステッピングモータと；前記ラインサーマルヘッドを分割駆動するヘッド通電パルス制御部と；前記ステッピングモータを駆動制御するモータ通電パルス制御部と；１ドットライン分の印字ドットの総数に基づき、前記ラインサーマルヘッドを一つあるいは複数の印字ブロックに分割し、前記ラインサーマルヘッドの分割数に基づき、記録媒体を１ドットライン分搬送するためのステッピングモータのモータ通電切り換え周期を決定し、前記印字ブロックを順次に分割駆動して、前記ステッピングモータによって搬送される前記記録紙に前記１ドッドライン分の印字を行うように、前記ヘッド通電パルス制御部および前記モータ通電パルス制御部を駆動制御する駆動制御部とを有し；前記駆動制御部は、１ドットラインを印字するために要する前記ラインサーマルヘッドの分割数の増加に対応して前記ステッピングモータの駆動速度を低速に切り換える際に、当該駆動速度を低速に切り換えるための通電切り換え時点を所定時間だけ遅延させるように、前記モータ通電パルス制御部を制御することを特徴としている。
【００１２】
ここで、前記駆動制御部は、前記通電切り換え時点が遅延することにより長くなった１ドットラインの印字期間では、前記ラインサーマルヘッドに対する通電パルスの印加時点を遅延させないように、前記ヘッド通電パルス制御部を制御することが望ましい。
【００１３】
また、前記駆動制御部は：印字中の１ドットラインの印字に要する前記分割数を記憶している記憶部と；前記記憶部に記憶されている前記分割数と、次の１ドットラインの印字に要する前記分割数のとの差を求める算出部と；算出された前記差に基づき、前記ステッピングモータの前記通電切り換え時点の遅延時間を決定する遅延時間算出部とを備えた構成とすることができる。
【００１４】
さらに、前記遅延時間は、前記ラインサーマルヘッドを分割駆動するためのヘッド通電パルスのパルス幅に前記分割数の差を乗算した値とすることができる。
【発明の効果】
【００１５】
以上説明したように、本発明では、ラインサーマルヘッドの分割数の増加に対応させて記録媒体の搬送速度を低速に切り換える際に、ステッピングモータの駆動速度を低速に切り換えるための通電切り換え時点を所定時間だけ遅延させるようにしている。このように遅延時間を挟むと、ステッピングモータの駆動切り換えに対する記録媒体の実際の搬送速度の応答遅れを抑制できる。この結果、記録媒体の搬送むらが抑制されて印字ドットのピッチ乱れが抑制されるので、印字品質の低下を防止できる。
【発明を実施するための最良の形態】
【００１６】
以下に、図面を参照して、本発明を適用したライン型サーマルプリンタの実施例を説明する。
【００１７】
図１は、本例のライン型サーマルプリンタの主要部分を示す概略ブロック図である。この図に示すように、ライン型サーマルプリンタ１は、ラインサーマルヘッド２と、このラインサーマルヘッド２の印字位置を経由して記録媒体（図示せず）を搬送するプラテンローラ３と、プラテンローラ３を回転させるためのステッピングモータ４と、ラインサーマルヘッド２およびステッピングモータ４を駆動制御するプリンタ制御装置１０を有している。
【００１８】
プリンタ制御装置１０は、マイクロコンピュータを中心に構成され、ＣＰＵ１１と、各種制御プログラムを格納したＲＯＭ１２と、作業領域として使用されるＲＡＭ１３とを備えた駆動制御部２０を有している。また、ラインサーマルヘッド２を駆動するヘッド通電パルス制御部１４と、ステッピングモータ４を駆動するモータ通電パルス制御部１５を有している。プリンタ制御装置１０にはデータ入力部１６を介して上位装置（図示せず）の側から印字データが供給される。ＣＰＵ１１の制御の下に、モータ通電パルス制御部１５を介して、ステッピングモータ４が駆動され、ヘッド通電パルス制御部１４を介して、ラインサーマルヘッド２が駆動される。
【００１９】
ラインサーマルヘッド２は、複数の発熱体、例えば４３２ドット分の発熱体が一列に配置された構成となっており、例えば最大１２８ドットの印字ブロック毎に分割駆動されるようになっている。この場合、１ドッドラインの印字ドットの総数が１２８ドット以下の場合には（分割数が「１」の場合には）、全ての印字ドットを同時に印字できるので、１ドットラインの印字に必要な時間は、一つの印字ブロックに対して一定周期の通電パルスを１回だけ印加できればよい。したがって、１ドットラインの印字時間が短くて済むので、１ドットライン送りのためのステッピングモータの駆動周期も短くなる（駆動速度が速くなる）。印字ドットの総数が１２８ドットを超える場合には、２分割〜４分割の範囲内で必要最低限度の分割数で１ドットライン分の印字が行われる。例えば、２分割で駆動される場合（分割数が２の場合）には、２つの印字ブロックを駆動するために、順次に一定周期の通電パルスを印加する必要があるので、単一の印字ブロックを駆動する場合に比べて１ドットラインの印字時間が２倍になる。よって、１ドットライン送りのためのステッピングモータの駆動周期も２倍になる。すなわち、駆動速度が１／２に低下する。
【００２０】
図２は分割駆動による印字動作を示すタイミングチャートである。この図において、（ａ）は記録紙の送り距離を示すグラフであり、実線Ａは実際の記録紙の送り距離（搬送位置）を表し、破線Ｂはステッピングモータ４の駆動制御に対応する理想的な記録紙の送り距離を表す。また、これら実線Ａおよび破線Ｂの傾きは記録紙の搬送速度を表す。（ｂ）はヘッド通電パルス制御部１４からラインサーマルヘッド２に供給されるヘッド通電ストローブパルス信号を示す信号波形図であり、４分割されたラインサーマルヘッド２の各印字ブロック（Ｎｏ．１〜Ｎｏ．４）に対してそれぞれヘッド通電ストローブパルス信号が供給される。（ｃ）はモータ通電パルス制御部１５からステッピングモータ４に供給されるモータ駆動用の通電パルス信号を示す信号波形図である。
【００２１】
ステッピングモータ４の通電切り換え周期Ｔ１、Ｔ２、Ｔ３、Ｔ４、Ｔ５・・毎にステッピングモータ４が所定の速度でステップ送りされ、記録紙が１ドットライン分の送りピッチ、たとえば０．１２５ｍｍのピッチで搬送される。したがって、図においては、これらの周期が、それぞれ１ドットライン分の印字期間（１ドットラインの周期）である。期間Ｔａは、本例の分割駆動制御の特徴をなす遅延期間であり、詳細については後述する。
【００２２】
本例では、記録紙上に形成される１画素が２ドット印字から構成され、ステッピングモータ４の１相通電開始タイミングｔ１、ｔ３、ｔ５、ｔ７・・・で１画素形成用の前半ドットが印字され、２相通電開始タイミングｔ２、ｔ４、ｔ６、ｔ８・・・で１画素形成用の後半ドットが印字される。１ドットラインの印字期間Ｔ１、Ｔ２、Ｔ３、Ｔ４、Ｔ５においては、それぞれラインサーマルヘッド２の印字ブロックに対して同一周期のヘッド通電パルスが２回印加される。図示の例では、期間Ｔ１、Ｔ２は分割数が「１」であり、単一の印字ブロック（Ｎｏ．１）のみが駆動され、１ドットライン分の印字がそれぞれ行われる。期間Ｔ３は分割数が「４」であり、４つの全ての印字ブロック（Ｎｏ．１〜Ｎｏ．４）が分割駆動されて、１ドットライン分の印字が行われ、期間Ｔ４、Ｔ５は分割数が「２」であり、２つの印字ブロック（Ｎｏ．１、Ｎｏ．２）が分割駆動されて１ドットライン分の印字がそれぞれ行われる。
【００２３】
ここで、分割数が「１」の期間Ｔ１は例えば２ｍｓであり、分割数が「２」の期間Ｔ４、Ｔ５はその２倍の４ｍｓであり、分割数が「４」の期間Ｔ３はその４倍の８ｍｓとなっている。しかるに、期間Ｔ２は、分割数が「１」であるが、遅延期間Ｔａだけ通電切り換え時点ｔ５が遅延しており、２ｍｓ＋Ｔａと長い。通電ストローブパルスは分割数が「１」の期間Ｔ１と同様に、２ｍｓの期間内において２パルス連続して印加される。
【００２４】
次に、図３は本例のライン型サーマルプリンタ１の印字動作を示す概略フローチャートである。この図を参照して本例の分割駆動による印字動作を説明する。印字データは、上位装置からプリンタ制御装置１０のデータ入力部１６を介してＣＰＵ１１に読み込まれる。印字データは１ドットライン毎に読み込まれ、１ドットライン毎に順次に印字される。まず、印字ドットライン番号を示す変数ｎの初期値が「１」とされ、１ドットライン目の印字データの印字行程に入る（ステップＳＴ１）。実際の印字開始に先立って、これから印字を行う１ドットライン分の印字ドットの総数がカウントされ、印字ドットの総数に基づき、ラインサーマルヘッド２の分割数Ｄｎが算出される（ステップＳＴ２）。
【００２５】
この後に、印字開始のタイミングでステッピングモータ４に対して駆動信号が印加される（ステップＳＴ３）。すなわち、印字開始前のステッピングモータ４は停止状態にあり、モータ停止の相にラッシュ通電（モータホールド通電）が行われており、印字開始のタイミングでモータ停止相の次の相へ切り換えるためのモータパルス通電が行われる。また、これと同期して、ラインサーマルヘッド２に対するストローブパルス通電が開始される（ステップＳＴ４、図２の時点ｔ１、ｔ３、ｔ５、ｔ７・・・）。複数の印字ブロックが駆動される場合には、ステッピングモータ４の同一相に通電されている１ドットライン周期の中で、予め設定されている順番で、各印字ブロックに対して順次にストローブパルス通電が行われる（ステップＳＴ４、ＳＴ５、図２の期間Ｔ１、Ｔ２、Ｔ３・・・）。
【００２６】
このようにして１ドットライン分の印字を終了した後は、次の１ドットライン分の印字データがあるか否かを判別し（ステップＳＴ６）、印字データが無ければ印字動作を終了する。次の印字データがある場合には、その１ドットライン分の印字ドットの総数がカウントされ、印字ドットの総数に基づき、ラインサーマルヘッド２の分割数Ｄ（ｎ＋１）を算出する（ステップＳＴ７）。
【００２７】
ここで、本例では、分割数Ｄ（ｎ＋１）と現在の分割数Ｄｎを比較し、分割数Ｄ（ｎ＋１）が分割数Ｄｎよりも多い場合、すなわち、その差Ｓ（＝Ｄ（ｎ＋１）−Ｄｎ）が「１」以上の場合には、ステピングモータ４の通電切り換え時点を遅延させる。換言すると、ステッピングモータ４に印加されている相信号（モータ通電パルス）の通電切り換え周期を引き延ばす処理を行う（ステップＳＴ８、９、１０）。通電切り換え時点を遅延させると、ラインサーマルヘッド２に対するストローブパルス通電の開始タイミングも同様に遅延するので、次の１ドットライン分の印字開始が遅れることになる。本例では、分割数が「１」の場合の１ドットライン分の印字に要する時間（ヘッド通電パルス幅）に差Ｓを乗算して得た時間だけ、モータ通電パルスの周期を引き延ばすようにしている。換言すると、この時間をモータ通電切り換え時点の遅延期間Ｔａとしている。
【００２８】
例えば、図２において、印字期間Ｔ２では分割数が「１」で１ドットライン分の印字が行われ、この後の印字期間Ｔ３では分割数が「４」で１ドットライン分の印字が行われる。この場合には、印字期間Ｔ３の開始時点ｔ５が、分割数が「１」である印字期間Ｔ２の本来の終了時点ｔａから期間Ｔａだけ遅延する。分割数の差Ｓ＝３であるので、これにヘッド通電パルス幅である２ｍｓを乗算した６ｍｓだけモータ通電切り換え時点ｔ５が遅延する。
【００２９】
分割数が増加する場合には印字速度が遅くなることを意味しており、本例では、印字速度が低速に切り換えられる場合には、その切り換えのタイミングを所定時間（Ｔａ）だけ遅延させているのである。この結果、記録紙の実際の搬送位置（実線Ａ）を理想的な搬送位置（破線Ｂ）に近づけることができる。
【００３０】
ここで、図４は従来における分割駆動方法を示すタイミングチャートであり、図２に示す場合と同一の印字を行う場合を示したものである。この場合には、分割数が「１」の印字期間Ｔ２に引き続いて分割数が「４」の印字期間Ｔ３が開始する。印字期間Ｔ３では印字速度が１／４になるので、それに伴って記録紙の搬送速度も１／４の低速に切り換えられる。しかしながら、搬送速度が低速に切り換わっても、記録紙の実際の搬送速度がそれに追従できずに、記録紙が高速のまま搬送されてしまい、切り換え後の時点では、記録紙の実際の搬送位置（実線Ｃ）が目標とする搬送位置（破線Ｂ）から大幅に外れてしまう。この結果、例えば、印字期間Ｔ３における印字ブロック（Ｎｏ．１）の前半ドット３１が印字された後における記録紙の搬送量が過剰となってしまい、次の後半ドット３２が前半ドット３１から離れた位置に形成されてしまう。この結果、記録紙上に形成される印字ドットにピッチ乱れが生じ、印字品質が低下してしまう。
【００３１】
これに対して、本例の分割駆動方法では、前述のように、記録紙の搬送速度が低速に切り換わる際に、印字に先立って、所定の遅延期間Ｔａをおくようにしている。このため、この遅延期間の間で記録紙の実際の搬送速度が低下するので、精度良く、低速搬送に切り換えることができる。この結果、記録紙の搬送位置を理想的な搬送位置に近づけることができるので、印字ドットのピッチ乱れを抑制でき、印字品質の低下を抑制あるいは防止できるのである。
【００３２】
また、本例では、遅延期間Ｔａだけモータ通電切り換え周期Ｔ２が長くなっているが、印字ブロック（Ｎｏ．１）に対するヘッド通電スルロープパルスの印加時点は、分割数が「１」の場合（期間Ｔ１）と同一のままとし、後半ドットの印字時点を遅延させないようにしている。このように、印字時点をそのままとすれば、期間Ｔ２における印字ドットのピッチ乱れを防止できるという利点がある。
【００３３】
なお、本例では、分割数が少なくなる場合、換言すると、印字速度（搬送速度）が低速から高速に切り換わる場合には、遅延期間Ｔａをおかずに、直ちに印字動作に入るようになっている（図２の時点ｔ７）。この場合には、記録紙の実際の搬送位置と理想的な搬送位置とのずれが少ないので、遅延期間を設けなくとも印字ピッチの乱れが特に問題とはならず、逆に、遅延期間Ｔａを設けると印字速度の低下が著しくなってしまうからである。
【図面の簡単な説明】
【００３４】
【図１】本発明を適用したライン型サーマルプリンタの概略ブロック図である。
【図２】図１のライン型サーマルプリンタの印字動作のタイミングチャートである。
【図３】図１のライン型サーマルプリンタの印字動作の概略フローチャートである。
【図４】従来の分割駆動方法を示すタイミングチャートである。
【符号の説明】
【００３５】
１  ライン型サーマルプリンタ、２  ラインサーマルヘッド、３  プラテンローラ、４  ステッピングモータ、１０  プリンタ制御装置、１１  ＣＰＵ、１２  ＲＯＭ、１３  ＲＡＭ、１４  ヘッド通電パルス制御部、１５  モータ通電パルス制御部、２０  駆動制御部
【図１】
2005186509.tif 000003
【図２】
2005186509.tif 000004
【図３】
2005186509.tif 000005
【図４】
2005186509.tif 000006